【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
少なくとも音声のコマンドについての自然言語処理により得られるコマンドに対応する処理を実行可能な画像形成システムであって、
音声のコマンドを取得することができるマイクロホンと、
ユーザへの情報を表示する表示デバイスを含み、ユーザ操作を取得する操作手段と、
少なくとも１つの制御手段と、
を有し、
少なくとも１つの前記制御手段は、
前記表示デバイスに、画像形成機能を含む、前記操作手段により操作可能な複数の機能についての第一の画面を表示し、
前記表示デバイスに前記第一の画面が表示されている状態での前記マイクロホンを通じての前記音声のコマンドの入力状態に応じて、前記表示デバイスに、音声のコマンドが入力受付中であることを示す第二の画面を表示して、該表示中には、前記操作手段による複数の機能についての操作ができないようにする、
画像形成システム。
【請求項２】
請求項１記載の画像形成システムであって、
少なくとも１つの前記制御手段は、
前記表示デバイスに前記第二の画面が表示されている状態での前記操作手段への操作検知に応じて、前記表示デバイスに、音声のコマンドの入力受付中状態の解除を確認する第三の画面を表示する、
画像形成システム。
【請求項３】
請求項２記載の画像形成システムであって、
前記第三の画面において、音声のコマンドの入力受付中状態を解除するための操作が可能になる、
画像形成システム。
【請求項４】
請求項２記載の画像形成システムであって、
前記第三の画面において、音声のコマンドの入力受付中状態を維持するための操作が可能になる、
画像形成システム。
【請求項５】
請求項２記載の画像形成システムであって、
前記第二の画面には、前記画像形成システムが音声のコマンドの入力受付中である旨が表示される、
画像形成システム。
【請求項６】
請求項３記載の画像形成システムであって、
音声のコマンドの入力受付中の状態では、音声のコマンドの入力受付中状態の解除の操作がなされてコマンドに基づく設定がクリアされる前においては、音声のコマンドによる複数の処理が受付可能である、
画像形成システム。
【請求項７】
請求項１記載の画像形成システムであって、
前記音声のコマンドとしての前記マイクロホンから音声データを取得し、取得した音声データを前記自然言語処理により解析し、さらに、取得した音声データの解析結果に応じた前記コマンドを取得する、サーバ装置、を更に有し、
少なくとも１つの前記制御手段は、前記サーバ装置により取得される前記コマンドを取得する、
画像形成システム。
【請求項８】
請求項１記載の画像形成システムであって、
前記音声のコマンドとしての前記マイクロホンから音声データを取得して、取得した音声データを前記自然言語処理により解析する、第一のサーバ装置と、
取得した音声データの解析結果に応じた前記コマンドを取得する、第二のサーバ装置と、を更に有し、
少なくとも１つの前記制御手段は、前記サーバ装置により取得される前記コマンドを取得する、
画像形成システム。
【請求項９】
請求項１記載の画像形成システムであって、
前記複数の機能には、コピー機能に関するものが含まれる、
画像形成システム。
【請求項１０】
請求項１記載の画像形成システムであって、
前記複数の機能には、スキャン機能に関するものが含まれる、
画像形成システム。
【請求項１１】
請求項１記載の画像形成システムであって、
前記複数の機能には、フアックス機能に関するものが含まれる、
画像形成システム。
【請求項１２】
請求項１記載の画像形成システムであって、
前記複数の機能には、設定機能に関するものが含まれる、
画像形成システム。
【請求項１３】
請求項１記載の画像形成システムであって、
前記マイクロホン、前記操作手段、および、少なくとも１つの前記制御手段、を備える画像形成装置、を更に有する、
画像形成システム。
【請求項１４】
請求項２記載の画像形成システムであって、
前記マイクロホンを備える通信装置と、
少なくとも１つの前記制御手段、を備える画像形成装置と、を更に有する、
画像形成システム。
【請求項１５】
請求項１４記載の画像形成システムであって、
前記通信装置が、モバイル端末である、
画像形成システム。
【請求項１６】
少なくとも音声のコマンドについての自然言語処理により得られるコマンドに対応する処理を実行可能な画像形成装置であって、
音声のコマンドを取得することができるマイクロホンと、
ユーザへの情報を表示する表示デバイスを含み、ユーザ操作を取得する操作手段と、
少なくとも１つの制御手段と、
を有し、
少なくとも１つの前記制御手段は、
前記表示デバイスに、画像形成機能を含む、前記操作手段により操作可能な複数の機能についての第一の画面を表示し、
前記表示デバイスに前記第一の画面が表示されている状態での前記マイクロホンを通じての前記音声のコマンドの入力状態に応じて、前記表示デバイスに、音声のコマンドが入力受付中であることを示す第二の画面を表示して、該表示中には、前記操作手段による複数の機能についての操作ができないようにする、
画像形成装置。
【請求項１７】
音声のコマンドを取得することができるマイクロホンと、ユーザへの情報を表示する表示デバイスを含み、ユーザ操作を取得する操作手段と、を有する画像形成装置の制御方法であって、
前記表示デバイスに、画像形成機能を含む、前記操作手段により操作可能な複数の機能についての第一の画面を表示し、
前記表示デバイスに前記第一の画面が表示されている状態での前記マイクロホンを通じての前記音声のコマンドの入力状態に応じて、前記表示デバイスに、音声のコマンドが入力受付中であることを示す第二の画面を表示して、該表示中には、前記操作手段による複数の機能についての操作ができないようにする、
画像形成装置の制御方法。
【手続補正２】
【補正対象書類名】明細書
【補正対象項目名】発明の名称
【補正方法】変更
【補正の内容】
【発明の名称】画像形成システム、画像形成装置、および画像形成装置の制御方法
【手続補正３】
【補正対象書類名】明細書
【補正対象項目名】０００１
【補正方法】変更
【補正の内容】
【０００１】
本発明は、画像形成システム、画像形成装置、および画像形成装置の制御方法に関する。
【手続補正４】
【補正対象書類名】明細書
【補正対象項目名】０００５
【補正方法】変更
【補正の内容】
【０００５】
本発明に係る画像形成システムは、少なくとも音声のコマンドについての自然言語処理により得られるコマンドに対応する処理を実行可能な画像形成システムであって、音声のコマンドを取得することができるマイクロホンと、ユーザへの情報を表示する表示デバイスを含み、ユーザ操作を取得する操作手段と、少なくとも１つの制御手段と、を有し、少なくとも１つの前記制御手段は、前記表示デバイスに、画像形成機能を含む、前記操作手段により操作可能な複数の機能についての第一の画面を表示し、前記表示デバイスに前記第一の画面が表示されている状態での前記マイクロホンを通じての前記音声のコマンドの入力状態に応じて、前記表示デバイスに、音声のコマンドが入力受付中であることを示す第二の画面を表示して、該表示中には、前記操作手段による複数の機能についての操作ができないようにする。
【手続補正５】
【補正対象書類名】明細書
【補正対象項目名】００１３
【補正方法】変更
【補正の内容】
【００１３】
図４は、図３の設定処理において画像形成装置１００の操作部１０４の表示デバイスとしてのタッチパネルに表示される表示画面の一例の説明図である。図４（Ａ）は、操作部１０４により設定を変更するために表示される画像形成装置１００の機能の選択画面（第一の画面）である。ＳＯＣ１０１は、たとえば画像形成装置１００を起動した場合、Ｓ４１１において操作部１０４のロックを解除した場合に、図４（Ａ）の画面を操作部１０４のタッチパネルに表示する。図４（Ａ）の画面には、画像形成装置１００の機能であるコピー（ＣＯＰＹ）、スキャン（ＳＣＡＮ）、フアックス（ＦＡＸ）とともに、「設定」機能が操作可能に表示されている。図４（Ｂ）は、操作部１０４をロックして音声入力を受け付けている旨を表示する画面（第二の画面）である。ＳＯＣ１０１は、たとえばＳ４０７において音声入力を受け付けて操作部１０４の操作による設定変更を禁止する場合に、図４（Ｂ）の画面を操作部１０４のタッチパネルに表示する。図４（Ｃ）は、音声入力を中止するとともに操作部１０４のロックを解除することを確認する画面（第三の画面）である。図４（Ｃ）の画面には、確認内容に対する「はい」と「いいえ」が操作可能に表示されている。ＳＯＣ１０１は、たとえばＳ４０９、Ｓ４１０またはＳ４１１において設定をクリアして操作部１０４のロックを解除する場合に、図４（Ｃ）の画面を操作部１０４のタッチパネルに表示する。図４（Ｄ）は、操作部１０４をロックして音声入力を開始することを確認する画面である。ＳＯＣ１０１は、たとえばＳ４０６において音声に基づくコマンドを取得した場合に、図４（Ｄ）の画面を操作部１０４のタッチパネルに表示する。図４（Ｄ）の画面には、確認内容に対する「はい」と「いいえ」とが操作可能に表示されている。
【手続補正６】
【補正対象書類名】明細書
【補正対象項目名】００２０
【補正方法】変更
【補正の内容】
【００２０】
図６は、第二実施形態に係る画像形成システム２００の説明図である。図６の画像形成システム２００は、モバイル端末３０１、設定を変更可能な画像形成装置１００、クラウドサーバ装置２０１、を有する。モバイル端末３０１は、図示していないがアクセスポイント経由でクラウドサーバ装置２０１の解析サーバ部２０２と通信する通信装置である。画像形成装置１００は、ＬＡＮ通信部１０５を介してクラウドサーバ装置２０１の設定サーバ部２０３と通信する。この場合、モバイル端末３０１は、ユーザの音声による操作を自然言語で受け取り、それを解析サーバ部２０２に音声データとして送信する。解析サーバ部２０２は、モバイル端末３０１から音声データを受信すると自然言語処理を行い、抽出された字句を解析する。設定サーバ部２０３は、解析サーバ部２０２から取得する解析結果を用いて、画像形成装置１００に対する設定を選択する。設定サーバ部２０３は、予め各設定に対応付けられた音素の並びと解析結果の音素の並びとを比較し、最も合致度が高い音素の並びに対応付けられた設定を選択すればよい。設定サーバ部２０３は、選択した設定を画像形成装置１００に設定するためのコマンドを生成し、ＬＡＮ通信部から画像形成装置１００へ送信させる。